(57)【要約】【課題】大型のシートを排出しても床面と接触しない構成で、前方排出モードと後方排出モードを簡単な操作で切換えることができる媒体受け装置を提供することを目的とする。【解決手段】媒体受け装置３００は、スタンドを介して床面に設置され、媒体の前方排出と後方排出とを切換えて排出媒体を受ける媒体受け装置であって、排出される媒体を受ける面状体３１０と、面状体の上端を第１の端部で支持する第１の支持体３４０と、面状体の下端を第１の端部で支持する第２の支持体３５０と、第１及び第２の支持体を各々の第２の端部で支持する回動支持体３６０と、を有し、第１及び第２の支持体は床面と逆方向に前後に回動し、回動支持体は回動支持体と第１の支持体の第１の端部とを結ぶ直線と回動支持体と第２の支持体の第１の端部とを結ぶ直線とのなす角度が１８０度に近づくように前後にスライドするように構成されて切換を行うようにしたことを特徴とする。【選択図】図１
2013043735.tif 000002
【特許請求の範囲】
【請求項１】
スタンドを介して床面に設置され、媒体の前方排出と後方排出とを切換えて当該排出媒体を受ける媒体受け装置であって、
排出される前記媒体を受ける面状体と、
前記面状体の上端を第１の端部で支持する第１の支持体と、
前記面状体の下端を第１の端部で支持する第２の支持体と、
前記第１及び第２の支持体を各々の第２の端部で回動可能に支持する回動支持体と、
を有し、
前記第１及び第２の支持体は前記床面と逆方向に前後に回動し、
前記回動支持体は前記回動支持体と前記第１の支持体の第１の端部とを結ぶ直線と前記回動支持体と前記第２の支持体の第１の端部とを結ぶ直線とのなす角度が１８０度に近づくように前後にスライドするように構成されて前記切換を行うようにしたことを特徴とする、媒体受け装置。
【請求項２】
前記媒体の前方排出時は、前記回動支持体は前方へスライドし、前記第１の支持体は後方へ回動し、前記第２の支持体は前方へ回動することを特徴とする、請求項１に記載の媒体受け装置。
【請求項３】
前記媒体の後方排出時は、前記第１の支持体は前方へ回動し、前記第２の支持体は後方へ回動し、前記回動支持体は後方へスライドすることを特徴とする、請求項１に記載の媒体受け装置。
【請求項４】
スタンドを介して床面に設置され、媒体の前方排出と後方排出とを切換えて当該排出媒体を受ける媒体受け装置であって、
排出される前記媒体を受ける面状体と、
前記面状体の上端を第１の端部で支持する第１の支持体と、
前記面状体の下端を第１の端部で支持する第２の支持体と、
前記第１及び第２の支持体を各々の第２の端部で回動可能に支持する回動支持体と
回動支持体をガイド部材を通して回動可能に支持するガイド支持部材と、
を有し、
前記第１及び第２の支持体は前記回動支持体のまわりを床面と逆方向に前後に回動し、
前記回動支持体は前記ガイド支持部材のまわりを、前記回動支持体と前記第１の支持体の第１の端部とを結ぶ直線と前記回動支持体と前記第２の支持体の第１の端部とを結ぶ直線とのなす角度が１８０度に近づくように前後に回動するように構成されて前記切換を行うようにしたことを特徴とする、媒体受け装置。
【請求項５】
前記媒体の前方排出時は、前記回動支持体は前方へ回動し、前記第１の支持体は後方へ回動し、前記第２の支持体は前方へ回動することを特徴とする、請求項４に記載の媒体受け装置。
【請求項６】
前記媒体の後方排出時は、前記第１の支持体は前方へ回動し、前記第２の支持体は後方へ回動し、前記回動支持体は後方へ回動することを特徴とする、請求項４に記載の媒体受け装置。
【請求項７】
請求項１から６のいずれか１項に記載の媒体受け装置を備えたことを特徴とする、被記録媒体に記録する記録装置。
【発明の詳細な説明】
【技術分野】
【０００１】
本発明は、前方排出と後方排出とを切り換えて排出媒体を受ける媒体受け装置、及びこれを用いる記録装置に関する。
【背景技術】
【０００２】
特許文献１には、ＪＩＳ規格のＡ０判、Ｂ０判といった大型のサイズにまで記録できる記録装置であるインクジェットプリンタ５００が開示されている。図５、図６に示すように、インクジェットプリンタ５００には、給紙部５１０、記録部５２０、排出部５３０、脚部５４０がこの順で上部から具備されている。上方から斜めに（非鉛直方向に）並んで配置された給紙部５１０、記録部５２０、及び排出部５３０は、プリンタ本体として構成され、脚部５４０に対して分離可能となっている。記録するシートは、上部の給紙部５１０から給紙され、下部の排出部５３０に向かって斜めに搬送されながら、記録部５２０で記録が行われ、排出部５３０から媒体受け装置に向けて排出される。
【０００３】
媒体受け装置６００は、脚部５４０の支持柱５５０の後部に具備された後部フック６１０、支持柱５５０の前部の上部に設けられた前部上フック部材６２０、支持柱５５０の前部の下部に設けられた前部下フック部材６３０、及び媒体受け部材６４０を備えている。前部上フック部材６２０は、支持柱５５０に対してスライド可能に取付けられ、前部下フック部材６３０は、支持柱５５０に対して回動可能に取付けられている。
【０００４】
このような構成の媒体受け装置６００は、前部上フック部材６２０及び前部下フック部材６３０の配置を変化させることにより使用形態を変更することができる。すなわち、前部上フック部材６２０を前後にスライドさせ、前部下フック部材６３０を前後に回動させることにより、前方排出モードと後方排出モードを切換えることができる。前方排出モードとは、インクジェットプリンタの前面側に媒体受け部材が緩やかに垂れ落ちた状態であり、排出される用紙は前方で受けることができる。後方排出モードとは、インクジェットプリンタの背面側に媒体受け部材が緩やかに垂れ落ちた状態であり、排出される用紙は後方で受けることができる。
【先行技術文献】
【特許文献】
【０００５】
【特許文献１】特開平２００６−２２４５５７号公報
【発明の概要】
【発明が解決しようとする課題】
【０００６】
背景技術の媒体受け装置は、Ａ０判、Ｂ０判等の大型のシートを記録した場合には、媒体受け部材の長さが足りず、排出中にシートの端部が媒体受け部材からはみ出し(図５矢印Ｙ、図６矢印Ｚ)、記録面が床面と接触する等してキズが発生するという問題がある。記録中にシートが床面に接触することにより、シートの姿勢に悪影響を及ぼし、紙詰まり等の不具合が発生するという問題もある。
【０００７】
本発明では、大型のシートを排出しても床面と接触することがなく、前方排出モードと後方排出モードを簡単な操作で切換えることができる媒体受け装置を提供することを目的とする。
【課題を解決するための手段】
【０００８】
本発明の一実施態様に係る媒体受け装置は、媒体の前方排出と後方排出とを切換えて当該排出媒体を受ける、床面に設置された媒体受け装置であって、排出される前記媒体を受ける面状体と、前記面状体の上端を第１の端部で支持する第１の支持体と、前記面状体の下端を第１の端部で支持する第２の支持体と、前記第１及び第２の支持体を各々の第２の端部で回動可能に支持する回動支持体と、を有し、前記第１及び第２の支持体は前記床面と逆方向に前後に回動し、前記回動支持体は前記回動支持体と前記第１の支持体の第１の端部とを結ぶ直線と前記回動支持体と前記第２の支持体の第１の端部とを結ぶ直線とのなす角度が１８０度に近づくように前後にスライドするように構成されて前記切換を行うようにしたことを特徴とする。
【０００９】
本発明の他の実施態様に係る媒体受け装置は、媒体の前方排出と後方排出とを切換えて当該排出媒体を受ける、床面に設置された媒体受け装置であって、排出される前記媒体を受ける面状体と、前記面状体の上端を第１の端部で支持する第１の支持体と、前記面状体の下端を第１の端部で支持する第２の支持体と、前記第１及び第２の支持体を各々の第２の端部で回動可能に支持する回動支持体と、回動支持体をガイド部材を通して回動可能に支持するガイド支持部材と、を有し、前記第１及び第２の支持体は前記回動支持体のまわりを床面と逆方向に前後に回動し、前記回動支持体は前記ガイド支持部材のまわりを、前記回動支持体と前記第１の支持体の第１の端部とを結ぶ直線と前記回動支持体と前記第２の支持体の第１の端部とを結ぶ直線とのなす角度が１８０度に近づくように前後に回動するように構成されて前記切換を行うようにしたことを特徴とする。
【発明の効果】
【００１０】
本発明の媒体受け装置は、第１及び第２の支持体ならびに回動支持体を前後に回動またはスライドさせることによって、前方排出と後方排出のモードを簡単に切換えることができるばかりでなく、大型のシートを受けることができる。
【００１１】
本発明では、大型のシートを排出しても床面と接触しない構成で、前方排出モードと後方排出モードを簡単な操作で切換えることができる媒体受け装置を提供することができる。
【図面の簡単な説明】
【００１２】
【図１】第１の実施形態の媒体受け装置の前方排出モードを示す断面図である。
【図２】第１の実施形態の媒体受け装置の後方排出モードを示す断面図である。
【図３】第２の実施形態の媒体受け装置の前方排出モードを示す断面図である。
【図４】第２の実施形態の媒体受け装置の後方排出モードを示す断面図である。
【図５】特許文献１の媒体受け装置の前方排出モードを示す断面図である。
【図６】特許文献１の媒体受け装置の後方排出モードを示す断面図である。
【発明を実施するための形態】
【００１３】
以下、本発明の実施形態について図面を参照して詳細に説明する。
【００１４】
図１及び図２は、本発明の第１の実施形態の媒体受け装置及び記録装置のそれぞれ前方及び後方排出モードを示す断面図である。図１及び図２に示す記録装置は、被記録媒体としてＪＩＳ規格のＡ０判やＢ０判等の比較的大きなサイズのシートにまで記録できるインクジェットプリンタである。インクジェットプリンタは、プリンタ本体１００とスタンド２００が分離可能に構成されている。プリンタ本体１００には、下部に給紙部１１０が具備され、中央付近に記録部１２０が設けられ、排出部１３０が水平に設けられている。スタンド２００には、媒体受け装置３００が装着されている。本実施形態では、給紙部はプリンタ本体の下部に具備されているが、本発明はこれに限定されるものではなく、給紙部はプリンタ本体の上部又は中央部に具備されていても構わない。
【００１５】
このような構成において、インクジェットプリンタで記録を行う場合は、ロール紙１１１を給紙部１１０にセットし斜め上方に向けて給紙した後、Ｕターン部１１５でシートの搬送方向を水平に変えて記録部１２０まで搬送する。さらに、シートを水平に搬送しながら記録ヘッド１２１を主走査方向（紙面に垂直な方向）に移動させながらインクを吐出させ、ロール紙１１１に所定の情報を記録する。排出媒体である記録済みシートは、排出部１３０から排出される。
【００１６】
次に、第１の実施形態の特徴的な部分である媒体受け装置３００の構造について説明する。媒体受け装置３００は、スタンド２００を介して床面に設置されている。スタンド２００は、移動用のキャスター２３０を有する一対の脚部２１０と、これら脚部２１０の間に掛け渡されている補強部材２２０で構成されている。さらに、脚部２１０の床面近くには、媒体受け装置３００を前後方向に移動するためのガイド支持部材２４０を具備している。媒体受け装置３００は、記録済みシートを受けるための面状体３１０と、面状体３１０の上下の端部３１１、３１２を拘束する面状体拘束手段３２０、３３０と、面状体拘束手段３２０、３３０の端部を拘束する第１及び第２の支持体３４０、３５０を具備している。すなわち、第１の支持体３４０は面状体３１０の上端を第１の端部で支持し、第２の支持体３５０は面状体３１０の下端を第１の端部で支持している。第１の支持体３４０及び第２の支持体３５０の各々の第２の端部は、回動支持体３６０で固定されており、第１の支持体３４０及び第２の支持体３５０は、回動支持体３６０を中心として回動可能である。回動支持体３６０には、媒体受け装置３００を前後方向に移動するためのガイド部材３９０が固定されている。このように、第１及び第２の支持体３４０、３５０は前後に回動可能であり、回動支持体３６０は前後にスライド可能である。ただし、第１及び第２の支持体３４０、３５０は、回動した時に、床面に接触しないように、床面と逆方向に回動する。また、回動支持体３６０は、回動支持体３６０と第１の支持体３４０の第１の端部とを結ぶ直線と、回動支持体３６０と第２の支持体３５０の第１の端部とを結ぶ直線とのなす角度が１８０度に近づくように前後にスライドする。すなわち、回動支持体３６０がスライドして、第１の支持体３４０と第２の支持体３５０のなす角度が１８０度に近づくようにすることにより、面状体３１０とシートの接触面積が大きくなる。面状体３１０の広い面積部分でシートを支持するため、媒体受け装置３００が大きなサイズのシートを収納することが可能となる。
【００１７】
第１の支持体３４０、第２の支持体３５０、回動支持体３６０、及びガイド部材３９０は、シートの幅方向に所定の間隔を持って一対配置されている。すなわち、一対の第１の支持体３４０、第２の支持体３５０、回動支持体３６０、及びガイド部材３９０が、媒体受け装置３００の前面から見たときに装置の左端部付近と右端部付近に一つずつ、お互いからシートの幅程度離れて配置されている。本実施形態の、面状体拘束手段３２０、３３０は、円筒の棒部材である。面状体３１０は、端部３１１、３１２を折返し縫い合せることによりループが形成された布である。面状体３１０の端部３１１、３１２のループに面状体拘束手段３２０、３３０が挿入されている。第１の支持体３４０と面状体拘束手段３２０の端部及び第２の支持体３５０と面状体拘束手段３３０の端部を不図示のジョイント部材で固定することにより、面状体３１０は自由度を持って緩やかに拘束されている。
【００１８】
本実施形態では、一対の回動支持体３６０は、同期して前後にスライド移動し、さらに、一対の第１の支持体３４０及び第２の支持体３５０は同期して回動する。このように、一対の第１の支持体３４０、第２の支持体３５０、及び回動支持体３６０が同期することにより、ユーザーの操作回数を減らすことができる。
【００１９】
以上のような媒体受け装置３００は、第１の支持体３４０及び第２の支持体３５０を回動させ、さらに、回動支持体３６０を前後に移動させることにより、前方排出モードと後方排出モードを簡単な操作で切換えることができる。
【００２０】
前方排出モードから後方排出モードに切換えるには、図１の前方排出モードから出発して、第１の支持体３４０の端部が排出部１３０から離れる方向（矢印Ａ）に回動し、所定の停止位置まで移動する。次に、第２の支持体３５０を第１の支持体３４０の回転方向とは反対方向（矢印Ｂ）に回動し、所定の停止位置まで移動する。そして、回動支持体３６０をインクジェットプリンタの後方にスライド（矢印Ｃ）させ、完全に押し込んだ状態とする。これにより、面状体端部３１１が排出部１３０よりも前に突き出た状態となり、面状体端部３１１から面状体端部３１２までの間が、インクジェットプリンタの背面側に向かって緩やかに垂れ落ちた後方排出モードとなる。このようにして、排出部１３０から送出されるシートは、面状体に沿って後方側に案内される。
【００２１】
後方排出モードから前方排出モードに切換えるには、図２の後方排出モードから出発して、回動支持体３６０をインクジェットプリンタの前方にスライド（矢印Ｆ）させ完全に引き出した状態とする。次に、第１の支持体３４０の端部が排出部１３０に近づく方向（矢印Ｄ）に回動し、所定の停止位置まで移動する。さらに、第２の支持体３５０を第１の支持体３４０の回転方向とは反対方向（矢印Ｅ）に回動することにより反転させ、所定の停止位置まで移動する。これにより、面状体端部３１１が排出部１３０よりも後方へ引っ込んだ状態となり、面状体端部３１１から面状体端部３１２までの間が、インクジェットプリンタの前面に向かって緩やかに垂れ落ちた前方排出モードとなる。このようにして、排出部１３０から送出されるシートは、面状体に沿って前方側に案内される。
【００２２】
図３及び図４は、本発明の第２の実施形態の媒体受け装置及び記録装置のそれぞれ前方及び後方排出モードを示す断面図である。本実施形態は、第１の実施形態と構成がほぼ同じであるため、第１の実施形態と同一部分には、同符号を付する。
【００２３】
第２の実施形態の特徴的な部分である媒体受け装置３００の構造について説明する。媒体受け装置３００は、スタンド２００を介して床面に設置されている。スタンド２００は、移動用のキャスター２３０を有する一対の脚部２１０と、これら脚部２１０の間に掛け渡されている補強部材２２０で構成されている。さらに、脚部２１０の床面近くには、媒体受け装置３００を前後方向に移動するためのガイド支持部材３８０を具備している。媒体受け装置３００は、記録済みシートを受けるための面状体３１０と、面状体３１０の上下の端部３１１、３１２を拘束する面状体拘束手段３２０、３３０と、面状体拘束手段３２０、３３０の端部を拘束する第１及び第２の支持体３４０、３５０を具備している。すなわち、第１の支持体３４０は面状体３１０の上端を第１の端部で支持し、第２の支持体３５０は面状体３１０の下端を第１の端部で支持している。第１の支持体３４０及び第２の支持体３５０の各々の第２の端部は、回動支持体３６０で固定されており、第１の支持体３４０及び第２の支持体３５０は、回動支持体３６０を中心として回動可能である。回動支持体３６０は、ガイド部材３７０を通してガイド支持部材３８０に回動可能に支持されている。このように、第１及び第２の支持体、ならびに回動支持体は前後に回動可能である。だだし、これらは回動する時に、床面に接触しないように、床面と逆方向に回動する。また、回動支持体３６０は、回動支持体３６０と第１の支持体３４０の第１の端部とを結ぶ直線と、回動支持体３６０と第２の支持体３５０の第１の端部とを結ぶ直線とのなす角度が１８０度に近づくように前後に回動する。すなわち、回動支持体３６０が回動して、第１の支持体３４０と第２の支持体３５０のなす角度が１８０度に近づくようにすることにより、面状体３１０とシートの接触面積が大きくなる。面状体３１０の広い面積部分でシートを支持するため、媒体受け装置３００が大きなサイズのシートを収納することが可能となる。
【００２４】
第１の支持体３４０及び第２の支持体３５０、回動支持体３６０、ガイド部材３７０は、シートの幅方向に所定の間隔を持って一対配置されている。すなわち、一対の第１の支持体３４０、第２の支持体３５０、回動支持体３６０、及びガイド部材３７０が、媒体受け装置３００の前面から見たときに装置の左端部付近と右端部付近に一つずつ、お互いからシートの幅程度離れて配置されている。本実施形態の、面状体拘束手段３２０、３３０は、円筒の棒部材である。面状体３１０は、端部３１１、３１２を折返し縫い合せることによりループが形成された布である。面状体３１０の端部３１１、３１２のループに面状体拘束手段３２０、３３０が挿入されている。第１の支持体３４０と面状体拘束手段３２０の端部、及び第２の支持体３５０と面状体拘束手段３３０の端部を不図示のジョイント部材で固定することにより、面状体３１０は自由度を持って緩やかに拘束されている。
【００２５】
本実施形態では、一対の回動支持体３６０は、同期して前後に回動し、さらに、一対の第１の支持体３４０及び第２の支持体３５０は同期して回動する。このように、一対の第１の支持体３４０、第２の支持体３５０、及び回動支持体３６０が同期することにより、ユーザーの操作回数を減らすことができる。
【００２６】
以上のような媒体受け装置３００は、第１の支持体３４０及び第２の支持体３５０を回動させ、さらに、回動支持体３６０も回動させることにより、前方排出モードと後方排出モードを簡単な操作で切換えることができる。
【００２７】
前方排出モードから後方排出モードに切換えるには、図３の前方排出モードから出発して、第１の支持体３４０の端部を排出部１３０から離れる方向（矢印Ａ）に回動し、所定の停止位置まで移動する。次に、第２の支持体３５０を第１の支持体３４０の回転方向とは反対方向（矢印Ｂ）に回動し、所定の停止位置まで移動する。そして、回動支持体３６０をインクジェットプリンタの後方に回動（矢印Ｇ）させ、完全に押し込んだ状態とする。これにより、面状体端部３１１が排出部１３０よりも前に突き出た状態となり、面状体端部３１１から面状体端部３１２までの間が、インクジェットプリンタの背面側に向かって緩やかに垂れ落ちた後方排出モードとなる。このようにして、排出部１３０から送出されるシートは、面状体に沿って後方側に案内される。
【００２８】
後方排出モードから前方排出モードに切換えるには、図４の後方排出モードから出発して、回動支持体３６０をインクジェットプリンタの前方に回動（矢印Ｈ）させ完全に引き出した状態とする。次に、第１の支持体３４０の端部を排出部１３０に近づく方向（矢印Ｄ）に回動し、所定の停止位置まで移動する。さらに、第２の支持体３５０を第１の支持体３４０の回転方向とは反対方向（矢印Ｅ）に回動し、所定の停止位置まで移動する。これにより、面状体端部３１１が排出部１３０よりも後方へ引っ込んだ状態となり、面状体端部３１１から面状体端部３１２までの間が、インクジェットプリンタの前面に向かって緩やかに垂れ落ちた前方排出モードとなる。このようにして、排出部１３０から送出されるシートは、面状体に沿って前方側に案内される。
【符号の説明】
【００２９】
３００  媒体受け装置
３１０  面状体
３４０  第１の支持体
３５０  第２の支持体
３６０  回動支持体
３７０  ガイド部材
３８０  ガイド支持部材
【図１】
2013043735.tif 000003
【図２】
2013043735.tif 000004
【図３】
2013043735.tif 000005
【図４】
2013043735.tif 000006
【図５】
2013043735.tif 000007
【図６】
2013043735.tif 000008